(57)【特許請求の範囲】
【請求項１】
化粧料及び塗布具の少なくとも１つを収納せしめる区画凹所を有するケース本体と、このケース本体に開閉可能に合わさり該区画凹所を閉塞する蓋体とを備えた化粧料容器であって、
前記蓋体に、その内側面で時計周りもしくは反時計周りに回動可能に保持されるミラーを配設し、
前記ミラーは、ミラー本体と、このミラー本体を固定保持し、蓋体の内側において回動可能に保持されるホルダーからなり、
前記ホルダーは、蓋体の内側面に固定保持されるベースと、このベースに回動可能で、かつ抜け出し不能に嵌り込む開口部を有し、ミラー本体を固定保持するフレームからなることを特徴とする化粧料容器。
【請求項２】
前記ベースの外側縁部に蓋体の内側面に向けて先細りとした第１のテーパー部を設け、
前記開口部の内側縁部に、蓋体の内側面に向けて先細りとし該第１のテーパー部に合致してフレームの摺動面及び抜け出し防止用の係止爪を形成する第２のテーパー部を設けた、請求項１に記載の化粧料容器。
【請求項３】
前記蓋体は、その内側面にベースを囲撓する環状凸部を有し、前記フレームは該環状凸部の内外の少なくとも一方に摺動可能に当接して該フレームの回動姿勢を維持するガイドを有する、請求項１又は２記載の化粧料容器。
【発明の詳細な説明】
【技術分野】
【０００１】
本発明は、化粧料容器（コンパクト）に関するものであり、該容器の多種多様な使い方を実現しようとするものである。
【背景技術】
【０００２】
コンパクトの如き化粧料容器は、一般にアイシャドーやアイライナー、ファンデーション等の内容物を塗布具（パフ等）とともに収納できる内部空間を有しており、蓋体の内側面には化粧状況が把握できるようにミラーが組み付けられている。
【０００３】
通常、この種の容器に組み付けられているミラーは、蓋体の形状に合わせ、円形、矩形等様々な形状に加工されてはいるものの、何れのミラーも接着剤等を介して蓋体の内側面に固定されているのが普通でミラーに映し出される領域は常に限定されたものになっており（特許文献１参照）、例えば、縦長のミラーが備えられた容器において横長の状態で化粧状況を映し出したい場合等には容器そのもの向きを変更する動作が必要であって、使用状況に応じて多種多様な使い方ができないのが現状であった。
【特許文献１】登録実用新案第２５３８８３１号明細書
【発明の開示】
【発明が解決しようとする課題】
【０００４】
本発明の課題は、蓋体の内側面に備え付けられたミラーを回動できるようにし、余計な動作を要することなしに多種多様な使い方のできる使い勝手のよい化粧料容器を提案するところにある。
【課題を解決するための手段】
【０００５】
本発明は、上記従来の課題を解決するためになされたものであって、化粧料及び塗布具の少なくとも１つを収納せしめる区画凹所を有するケース本体と、このケース本体に開閉可能に合わさり該区画凹所を閉塞する蓋体とを備えた化粧料容器につき、前記蓋体に、その内側面で時計周りもしくは反時計周りに回動可能に保持されるミラーを配設し、
前記ミラーは、ミラー本体と、このミラー本体を固定保持し、蓋体の内側において回動可能に保持されるホルダーからなり、
前記ホルダーは、蓋体の内側面に固定保持されるベースと、このベースに回動可能で、かつ抜け出し不能に嵌り込む開口部を有し、ミラー本体を固定保持するフレームからなることを特徴とする化粧料容器である。
【０００７】
また、ベースの外側縁部に蓋体の内側面に向けて先細りとした第１のテーパー部を設け、開口部の内側縁部に、蓋体の内側面に向けて先細りとし該第１のテーパー部に合致してフレームの摺動面及び抜け出し防止用の係止爪を形成する第２のテーパー部を設けるのがとくに望ましい。
【０００８】
また、蓋体の内側面にはベースを囲撓する環状凸部を設けることが、また、フレームには該環状凸部の内外の少なくとも一方に摺動可能に当接して該フレームの回動姿勢を維持するガイドを設けることができる。  
【発明の効果】
【０００９】
蓋体の内側面に設けられたミラーを該内側面内で時計周りあるいは反時計周りに回動させることで、容器そのものを持ち替える等の動作を要することなしに映し出される領域を変更することが可能となり（とくに縦横の長さが異なるミラーの場合は縦方向あるいは横方向に向きを変えることが可能、また一部分に凹面鏡が組み込まれている場合においてはその部位を見やすい位置に設定できる等）、該容器の使い方の幅がより一層広がる。
【発明を実施するための最良の形態】
【００１０】
以下、図面を参照して本発明をより具体的に説明する。
図１〜４は本発明にしたがう化粧料容器の実施の形態を示した図であり、図１は蓋体を閉じた状態で示した外観斜視図、図２は図１の容器について蓋体を開放した状態の外観斜視図、図３は図１の容器についてその断面を示した図、さらに図４は図１の容器の背面を要部について示した外観斜視図である。
【００１１】
図１〜４における符号１はケース本体である。このケース本体１は化粧料、パフ等の塗布具を収納せしめる２つの区画凹所Ｍ１、Ｍ２が設けられたものを例示してある（図２参照）。
【００１２】
２はケース本体１に枢軸Ｓを介して開閉可能に合わさり該区画凹所Ｍ１、Ｍ２を閉塞する蓋体である。この蓋体２の側壁には凹部２ａが形成されている。３は蓋体２の内側面内で凹部２ａを通り抜けて時計周りあるいは反時計周りに回動可能に保持されたミラーである（図２参照）。
【００１３】
ミラー３はミラー本体（鏡そのもの）３ａと、このミラー本体３ａを固定保持するホルダー３ｂからなる。そしてホルダー３ｂは図３に示すように蓋体２の内側面に固定保持される円形状をなすベース３ｂ１と、ミラー本体３ａを接着層を介して固定保持するフレーム３ｂ２にて構成され、該フレーム３ｂ２にはベース３ｂ１に回動可能で、かつ抜け出し不能にはまり込む開口部ｈが形成されている。
【００１４】
４は蓋体２の内側面に一体的に設けられた環状凸部である。この環状凸部４はベース３ｂ１をアンダーカット、超音波溶着あるいは接着剤、両面テープの如き係合手段にて蓋体２の内側面に固定保持するようになっている。
【００１５】
また、５はベース３ｂ１の外側縁部に設けられ、蓋体２の内側面に向けて漸次に先細り（径が徐々に小さくした台形状の断面になっている）とした第１のテーパー部、６は開口部ｈの内側縁部に設けられ第１のテーパー部５に合致してフレーム３ｂ２の摺動面及び抜け出し防止用の係止爪を形成する第２のテーパー部である。この第２のテーパー部６は第１のテーパー部５と同様に蓋体２の内側面に向けて漸次に先細りとした台形状の断面形状を有している。
【００１６】
さらに、７は環状凸部４の外側に位置し、ベース３ｂ１を囲撓するように蓋体２の内側面に設けられた環状凸部、８はフレーム３ｂ２の上面に一体的に設けられたガイドである。ガイド８は複数個の凸部や環状体が適用され、該環状凸部７の内側（外側でもよい）で摺動可能に当接するもので、このガイド８によってフレーム３ｂ２の回動姿勢を安定的に維持するようになっている。
【００１７】
上記の構成になる化粧料容器は、蓋体２を開放した状態においてミラー３を図５に示すように回動させて使用することが可能であり、容器そのものを持ち替える動作を必要とせずに映し出す領域の変更が可能となる。
【００１８】
本発明の化粧料容器はベース３ｂ１とフレーム３ｂ２を第１のテーパー部５、第２のテーパー部６によって連係しているため、容器そのものの厚さが増したり複数のパーツを必要とすることなしにミラー３の回動と抜け出しの防止を図ることができる利点がある。
【００１９】
上掲図１〜４に示した化粧料容器は、フレーム３ｂ２の幅端部が蓋体２及びケース本体１の幅端部から突出したタイプのものを示したが、フレーム３ｂ２の幅寸法は蓋体２、ケース本体１の幅寸法と同じ寸法に設定してもよく、この点については限定されない。とくに実施の形態において示した化粧料容器はその外観形状がこの種の一般的な容器（縦長コンパクト）の外観形状に比較して特異な形状を呈することになるので商品としての識別力が高くなる。また、容器は円形のものや楕円形のものあるいは正方形状のものにも適用し得る。
【００２０】
なお、図示はしないが環状凸部７とガイド８との相互間に凸部とこの凸部に適合する凹部を設け、それらが合致したところでフレーム３ｂ２の位置決めを行う位置決め手段を設けることもできる。また、第１のテーパー部５、第２のテーパー部６は階段状の断面形状を有するものを適用してもよく、必要に応じてその形状は適宜変更し得る。
【産業上の利用可能性】
【００２１】
ミラーの回動が可能であり多種多様な使い方ができる使い勝手のよい化粧料容器が提供できる。
【図面の簡単な説明】
【００２２】
【図１】本発明にしたがう化粧料容器の実施の形態を示した外観斜視図である。
【図２】図１の容器について蓋体を開放した外観斜視図である。
【図３】図１の容器についてその断面を示した図である。
【図４】図１の容器の後方部分を要部について示した外管斜視図である。
【図５】本発明にしたがう化粧料容器の使用状況を示した図である。
【符号の説明】
【００２３】
１    ケース本体
２    蓋体
２ａ  凹部
３    ミラー
３ａ  ミラー本体
３ｂ  ホルダー
３ｂ１ ベース
３ｂ２ フレーム
４    環状凸部
５    第１のテーパー部
６    第２のテーパー部
７    環状凸部
８    ガイド
Ｍ１、Ｍ２  区画凹所
Ｓ    枢軸
【図１】
0005159391.tif 000002
【図２】
0005159391.tif 000003
【図３】
0005159391.tif 000004
【図４】
0005159391.tif 000005
【図５】
0005159391.tif 000006